【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
半田ペーストが貯留された有底筒状の押出し容器と押出し用蓋体とからなり、この蓋体が押出し容器内に押し込まれることによって押出し容器の底から半田ペーストが出る半田ペースト供給用カートリッジが着脱自在とされ、
前記蓋体を押出し容器の底に向けて押圧する加圧装置と、
前記カートリッジから供給されて半田ペースト室に貯留された半田ペーストをスクリーン印刷用マスクプレートに塗布するスキージとがスキージヘッドに設けられ、
前記スキージヘッドを印刷位置とマスクプレート上方の退避位置との間で昇降させる昇降装置と、
前記スキージヘッドを前記マスクプレートに沿って水平方向に移動させる移動装置と、
これらの装置の動作を制御する制御装置とを備えたスクリーン印刷機において、
前記半田ペースト供給用カートリッジが装着された状態において、前記蓋体の前記押出し容器への固着を解除する固着解除装置と、
前記蓋体の前記押出し容器への固着を検知する固着検知装置とを備え、
前記制御装置は、前記固着検知装置により固着が検知された場合に、前記固着解除装置を動作させることを特徴とするスクリーン印刷機。
【請求項２】
前記制御装置は、前記固着解除装置を動作させた後、前記固着検知装置により前記固着の有無を検知させるようにしたことを特徴とする請求項１に記載のスクリーン印刷機。
【請求項３】
固着が検知されたとき操作者に報知する報知装置を備えることを特徴とする請求項１または請求項２に記載のスクリーン印刷機。
【請求項４】
前記報知装置に加え、固着が検知されたときスクリーン印刷動作を停止させる報知部を備えることを特徴とする請求項３に記載のスクリーン印刷機。
【請求項５】
前記固着解除装置は、前記蓋体を押出し容器の底に向けて押圧するとともに、この押圧の荷重は、前記スキージヘッドを前記マスクプレートに沿って移動させる印刷状態において、前記加圧装置により前記蓋体を押圧する押圧荷重より大きな荷重であることを特徴とする請求項１ないし請求項４のうち何れか一つに記載のスクリーン印刷機。
【請求項６】
前記加圧装置による押圧荷重を可変とする押圧荷重可変装置を備え、
前記制御装置は押圧荷重可変装置を制御し、印刷時と固着解除時とで押圧荷重を変化させることにより、前記加圧装置、前記押圧荷重可変装置及び前記制御装置により固着解除装置を構成するようにしたことを特徴とする請求項５に記載のスクリーン印刷機。
【請求項７】
前記加圧装置をシリンダとピストンで構成し、このシリンダとピストンの内一方を前記蓋体に当接し、他方を前記スキージヘッドに支持し、シリンダに作動流体を供給することで前記蓋体を押圧するとともに、作動流体の圧力を可変とする圧力調整装置により前記押圧荷重可変装置を構成したことを特徴とする請求項６に記載のスクリーン印刷機。
【請求項８】
前記マスクプレートを前記スキージが押圧するようにするとともに、印刷時と固着解除時とで押圧荷重を変化させる荷重負荷装置を備え、
前記制御装置は、固着解除時における押圧荷重を印刷時における押圧荷重より大きくするよう荷重負荷装置を制御することを特徴とする請求項５ないし請求項７のうち何れか一つに記載のスクリーン印刷機。
【手続補正２】
【補正対象書類名】明細書
【補正対象項目名】００１０
【補正方法】変更
【補正の内容】
【００１０】
この目的を達成するために、本発明に係るスクリーン印刷機は、半田ペーストが貯留された有底筒状の押出し容器と押出し用蓋体とからなり、この蓋体が押出し容器内に押し込まれることによって押出し容器の底から半田ペーストが出る半田ペースト供給用カートリッジが着脱自在とされ、前記蓋体を押出し容器の底に向けて押圧する加圧装置と、前記カートリッジから供給されて半田ペースト室に貯留された半田ペーストをスクリーン印刷用マスクプレートに塗布するスキージとがスキージヘッドに設けられ、前記スキージヘッドを印刷位置とマスクプレート上方の退避位置との間で昇降させる昇降装置と、前記スキージヘッドを前記マスクプレートに沿って水平方向に移動させる移動装置と、これらの装置の動作を制御する制御装置とを備えたスクリーン印刷機において、前記半田ペースト供給用カートリッジが装着された状態において、前記蓋体の前記押出し容器への固着を解除する固着解除装置と、前記蓋体の前記押出し容器への固着を検知する固着検知装置とを備え、前記制御装置は、前記固着検知装置により固着が検知された場合に、前記固着解除装置を動作させるものである。  
【手続補正３】
【補正対象書類名】明細書
【補正対象項目名】００１１
【補正方法】変更
【補正の内容】
【００１１】
本発明は、前記発明において、前記制御装置は、前記固着解除装置を動作させた後、前記固着検知装置により前記固着の有無を検知させるようにしたものである。
【手続補正４】
【補正対象書類名】明細書
【補正対象項目名】００１８
【補正方法】変更
【補正の内容】
【００１８】
また、本発明は、蓋体の押出し容器への固着を検知する固着検知装置を備えているから、蓋体が押出し容器に固着しているときのみに固着解除装置によって固着が解除される。このため、本発明によれば、固着解除装置が必要に応じて動作するから、スクリーン印刷の能率を高く保ちながら、蓋体の押出し容器への固着を確実に解除することができる。
【手続補正５】
【補正対象書類名】明細書
【補正対象項目名】００３８
【補正方法】変更
【補正の内容】
【００３８】
昇降装置４３は、図３に示すように、本体フレーム４１におけるＸ方向の中央部にＺ方向に延びる状態で回転自在に支持されたボールねじ軸５３と、このボールねじ軸５３の上端部にベルト５４を介して接続されたヘッド昇降用モータ５５と、前記ボールねじ軸５３が螺合するボールねじナット５６を有する前記昇降部材５１とによって構成されている。この実施例においては、この昇降装置４３と後述する制御装置とによって、請求項８記載の発明でいう荷重負荷装置が構成されている。
前記ヘッド昇降用モータ５５は、本体フレーム４１におけるＸ方向の一端部であって前記第１の圧縮コイルばね４４より外側に取付けられている。
【手続補正６】
【補正対象書類名】明細書
【補正対象項目名】００５０
【補正方法】変更
【補正の内容】
【００５０】
これらのエアシリンダ６６に供給する空気を通す空気通路（図示せず）には、エアシリンダ６６が蓋体８２を押圧するときの押圧力の大きさを制御するために、エアシリンダ６６に供給される空気の圧力を変化させる電空レギュレータ８６（図５参照）が設けられている。この電空レギュレータ８６も後述する制御装置７１に接続されており、制御装置７１によって動作が制御される。この実施例においては、この電空レギュレータ８６によって、請求項６記載の発明でいう押圧荷重可変装置が構成されるとともに、請求項７記載の発明でいう圧力調整装置が構成されている。また、この実施例においては、前記エアシリンダ６６と、電空レギュレータ８６と、後述する制御装置７１とによって、本発明でいう固着解除装置が構成されている。
【手続補正７】
【補正対象書類名】明細書
【補正対象項目名】００６８
【補正方法】変更
【補正の内容】
【００６８】
制御装置７１は、上述したようにエアシリンダ６６を動作させた後、ステップＳ７０２において、ロードセル６３によって現在のロードセル検知荷重Ｂ２を測定し、このロードセル検知荷重Ｂ２から前記印刷開始時のロードセル６３の検知荷重Ｂ１を減算してその値を差分荷重Ｂとする。前記ロードセル検知荷重Ｂ２によって、検出値が構成されている。ロードセル検知荷重Ｂ２の測定はセンサデータ入力部９７が行う。また、差分荷重Ｂを求めるＢ２−Ｂ１の演算と、後述するステップＳ７０３における数値の比較とは、演算処理部９１が行う。
【手続補正８】
【補正対象書類名】明細書
【補正対象項目名】０１０２
【補正方法】変更
【補正の内容】
【０１０２】
圧力センサ１２１を用いて固着状態の有無のチェックを行うためには、先ず、図１２に示すフローチャートのステップＳ１２１に示すように、エアシリンダ６６（加圧用シリンダ）をその加圧圧力がＣ１になるように動作させる。次に、ステップＳ１２２において、圧力センサ１２１によって半田ペースト室７５内の圧力Ｐを測定し、ステップＳ１２３において、前記ペースト圧Ｐが予め定めた判定圧力Ｐ０より大きいか否かを判別する。前記ペースト圧Ｐが検出値を構成し、判定圧力Ｐ０が判定値を構成している。